(57)【要約】【課題】これまでとは異なる質感を与え、特に視覚的、触感的、或いは視覚的及び触感的の両面において従来とは異なる構造を具備した化粧材を提供する。【解決手段】表面に凹凸模様が形成されてなる化粧材であって、基材と、基材の一方の面に形成された凹凸模様と、を有し、凹凸模様を形成する凸部が、第一傾斜面と第二傾斜面とを有し、第一傾斜面の一端と第二傾斜面の一端とが連結することにより、凸部の頂部が稜線を成し、第一傾斜面とシート面とのなす角を傾斜角θ１、第二傾斜面とシート面との成す角を傾斜角θ２としたとき、θ１＜θ２である前記凹凸模様を含む。【選択図】図２
2019171621.tif 000002
【特許請求の範囲】
【請求項１】
表面に凹凸模様が形成されてなる化粧材であって、
基材と、前記基材の一方の面に形成された凹凸模様と、を有し、
前記凹凸模様を形成する凸部が、第一傾斜面と第二傾斜面とを有し、前記第一傾斜面の一端と前記第二傾斜面の一端とが連結することにより、前記凸部の頂部が稜線を成し、
前記第一傾斜面とシート面とのなす角を傾斜角θ１、前記第二傾斜面とシート面との成す角を傾斜角θ２としたとき、θ１＜θ２である前記凹凸模様を含む、化粧材。
【請求項２】
前記稜線部分における第一傾斜面の表面粗さをＲａ１、前記稜線に隣接する凹部の谷線部分における第一傾斜面の表面粗さをＲａ２としたとき、Ｒａ１＞Ｒａ２である、請求項１に記載の化粧材。
【請求項３】
前記基材上にはさらに絵柄層が積層されている、請求項１又は２に記載の化粧材。
【請求項４】
前記基材上又は絵柄層上にはさらに透明保護層が積層されている、請求項１乃至３のいずれかに記載の化粧材。
【請求項５】
前記稜線が延びる形状により、該稜線が鏝痕調の模様を形成する請求項１乃至４のいずれかに記載の化粧材。
【請求項６】
前記稜線が延びる形状により、該稜線が石目調の模様を形成する請求項１乃至４のいずれかに記載の化粧材。
【請求項７】
前記絵柄層が石目調の絵柄を備えている請求項３又は４記載の化粧材。
【発明の詳細な説明】
【技術分野】
【０００１】
本発明は化粧材に関し、従来とは異なる質感を備える化粧材に関する。
【背景技術】
【０００２】
化粧材における意匠表現は多岐に亘るが、例えば特許文献１、特許文献２に記載のように、表面に石材の劈開面、セメントや石膏等の左官による鏝痕の壁面形状の凹凸模様が表現された化粧材がある。
【０００３】
このような化粧材は、該化粧材の表面の凹凸模様の凹凸を反転した凹凸を有するエンボス版を基材表面に押圧して賦形することにより作製されることが多く、このエンボス版にはエッチング加工によってその表面の凹凸が形成される。これにより細かい表現を行うことができるとされている。
【先行技術文献】
【特許文献】
【０００４】
【特許文献１】実開昭６１−１００５９５号公報
【特許文献２】特開２００３−２１１８１６号公報
【発明の概要】
【発明が解決しようとする課題】
【０００５】
一方、化粧材の分野では、近年における嗜好の多様化や、より新しい視覚的、触感的な表面形態の要求があり、かかる観点からより付加価値の高い意匠外観及び触感を発現する化粧材を提供することが望まれている。
【０００６】
そこで本発明は、これまでとは異なる質感を与え、特に視覚的、触感的、或いは視覚的及び触感的の両面において従来とは異なる構造を具備した化粧材を提供することを課題とする。
【課題を解決するための手段】
【０００７】
発明者は、従来における石材の劈開面、セメントや石膏等の左官による壁面形状（鏝痕等）の表面凹凸を模した化粧材を検討した結果、その凹凸形状における高さの階調が、例えば、高低の２階調のみであったり、傾斜面があっても傾斜角が１種類のみであったり等であるため単調となっているという知見を得た。この知見に基づいて、視覚的、触感的にこれまでとは異なる模様の形態を具体化して本発明を完成させた。以下、本発明について説明する。
【０００８】
本発明の１つの態様は、表面に凹凸模様が形成されてなる化粧材であって、基材と、基材の一方の面に形成された凹凸模様とを有し、凹凸模様を形成する凸部が、第一傾斜面と第二傾斜面とを有し、第一傾斜面の一端と第二傾斜面の一端とが連結することにより、凸部の頂部が稜線を成し、第一傾斜面とシート面（ＰＳｈｅｅｔ）とのなす角を傾斜角θ１、第二傾斜面とシート面（ＰＳｈｅｅｔ）との成す角を傾斜角θ２としたとき、θ１＜θ２となる凹凸模様を含む化粧材である。
【０００９】
また、稜線部分における第一傾斜面の表面粗さをＲａ１、稜線に隣接する凹部の谷線部分における第一傾斜面の表面粗さをＲａ２としたとき、Ｒａ１＞Ｒａ２であるように構成してもよい。
ここで表面粗さＲａ（μｍ）は、ＪＩＳ  Ｂ  ０６０１−２００１における算術平均粗さを意味する。
【００１０】
基材上にはさらに絵柄層が積層されていてもよい。また、基材上又は絵柄層上にはさらに透明保護層が積層されていてもよい。
【００１１】
また、稜線が延びる形状により、該稜線が鏝痕調の模様を形成するように構成することができる。
【００１２】
また、稜線が延びる形状により、該稜線が石目調の模様を形成してもよい。
【００１３】
絵柄層が石目調の絵柄を備えているように構成してもよい。
【発明の効果】
【００１４】
本発明の化粧材によれば、従来に対してその凹凸模様における高さの階調が多様化し、視覚的、触感的にこれまでとは異なる意匠外観を表現する模様を有した化粧材を実現することが可能となる。
【図面の簡単な説明】
【００１５】
【図１】図１は化粧材１０の表面の一部を拡大して表した平面図である。
【図２】図２（ａ）は化粧材１０の断面図、図２（ｂ）は図２（ａ）の一部を拡大した図である。
【図３】図３は、化粧材の凹凸模樣を構成する第一傾斜面及び第二傾斜面とからなる凹凸模様におけるθ１及びθ２について説明する図である。
【図４】図４（ａ）は稜線部分と谷線部分における表面粗さの関係を説明する平面図、図４（ｂ）は稜線部分と谷線部分における表面粗さの関係を説明する断面図である。
【図５】図５は化粧材２０の断面図である。
【図６】図６は化粧材３０の一部の斜視図である。
【図７】図７（ａ）は化粧材４０の平面図、図７（ｂ）は化粧材４０の一部の斜視図である。
【図８】図８はレーザにより型に凹凸を形成する場面を説明する図である。
【図９】図９はエンボス版の例で、化粧材４０を作製するためのエンボス版の一部の平面図である。
【図１０】図１０（ａ）、図１０（ｂ）は、化粧材１０の層構成の他の例を説明する図である。
【図１１】図１１は実施例の化粧材の測定部分を拡大して表した平面図である。
【発明を実施するための形態】
【００１６】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１７】
図１は第一形態にかかる化粧材１０の一部を拡大し、凹凸模様側から平面視した図（平面図）である。図１には便宜のため、方向を表す矢印（ｘ、ｙ、ｚ）、即ち座標系も併せて表記した。ここでｘｙ方向は化粧材１０における面内方向、ｚ方向は厚さ方向、即ち面内方向（ｘｙ平面）の法線方向である。従って図１は化粧材１０を凹凸模様側であるz方向から視た図と言うことになる。
図１からわかるように本形態の化粧材１０は、左官によるセメント、壁土、石膏等を用いて鏝等により加工した壁塗りの表面凹凸の凹凸模様が付されたものである。
【００１８】
図２（ａ）には、図１にＩＩａ−ＩＩａで示した線に沿った化粧材１０の厚さ方向断面（即ちｚｘ面に平行な１つの面に沿って切断した面）を示した。この図は基材１１における凹凸形状のうち凸部１３の頂部が形成する稜線１３ａを横切るように一直線で切断した断面である。かかる断面を主切断面と記載することがある。
また、図２（ｂ）には図２（ａ）の一部であり、１つの凸部１３の頂部が形成する稜線１３ａ、及び１つの凹部１４の谷底が形成する谷線１４ａの周辺に注目して拡大した図を表した。
【００１９】
図１、図２からわかるように、本形態の化粧材１０では、その表面において凸部１３及び凹部１４が繰り返される凹凸形状を有するとともに、凸部１３の頂部が形成する稜線１３ａ及び凹部１４の谷底が形成する谷線１４ａにより、左官による鏝痕調の立体的な凹凸模様が表現されている。
【００２０】
具体的に化粧材１０は、基材１１を有し、該基材１１の一方の面の表面に凸部１３及び凹部１４からなる凹凸模様を有している。以下、各構成について詳しく説明する。
【００２１】
基材１１は、凹凸模樣を担持するとともに化粧材１０に強度を付与する機能を有する部材である。基材１１の形態としてはフィルム、シート、或いは板の何れでも良い。一般的には、厚みが比較的薄いものから、順次、フィルム、シート、板と呼称されるが、本形態においては、これら基材の厚み形態による差異は本質的な事項では無く重要な事項でもない。そのため、本明細書中においてはフィルム、シート、及び板の何れかの用語は適宜他の用語に読み換えても本発明の本質も特許請求の範囲の解釈も不変である。
【００２２】
基材１１は従来公知の化粧材と同様の機能を有するものであればよいので、その材料は特に限定されない。例えば、基材の材料としては、通常、ポリエチレン、ポリプロピレン、オレフィン系熱可塑性エラストマー、アイオノマー等のポリオレフィン系樹脂、ポリメチルメタクリレート、ポリブチルメタクリレート等のアクリル樹脂、ポリエチレンテレフタレート、ポリブチレンテレフタレート等の熱可塑性ポリエステル樹脂、熱可塑性ウレタン樹脂、塩化ビニル樹脂、ＡＢＳ樹脂（アクリロニトリル−ブタジエン−スチレン共重合体）、スチレン樹脂等の熱可塑性樹脂、メラミン樹脂、不飽和ポリエステル樹脂、２液硬化型ウレタン樹脂、エポキシ樹脂等の熱硬化性樹脂、或いは、ラジカル重合型のアクリレート系やカチオン重合型のエポキシ系等の単量体やプレポリマーで電離放射線（紫外線、電子線等）で硬化する電離放射線硬化性樹脂等が用いられる。なお、基材の材料が樹脂の場合、公知の着色剤で着色しても良い。この他、紙、不織布、金属、木等もシート、板、立体物等の形状で、適宜上記樹脂材料と積層させて、使用することもできる。
【００２３】
また、基材１１として、紙、或いは合成樹脂や硝子の纖維から成る不織布、織布、又は編物等の纖維質シートにメラミン樹脂、フェノール樹脂、ウレタン樹脂、エポキシ樹脂、不飽和ポリエステル樹脂、ジアリルフタレート樹脂等の熱硬化性樹脂を含侵させて硬化せしめた複合体（所謂、熱硬化性樹脂化粧材、ＦＲＰ等）を使用する事もできる。
【００２４】
基材の厚さには特に制限は無いが、シート状基材又はフィルム状基材の場合は例えば、厚さ２０μｍ以上１０００μｍ以下程度、板状基材の場合は例えば、１ｍｍ以上２０ｍｍ以下程度のものが使用できる。
【００２５】
図２（ａ）、図２（ｂ）からわかるように、凹凸模様は、凸部１３及び凹部１４が繰り返してなる。
凸部１３は、第一傾斜面１５の一端と第二傾斜面１６の一端とが頂部で接続することで形成され、この頂部が稜線１３ａを成している。一方、凹部１４は、第一傾斜面１５の他端と第二傾斜面１６の他端とが谷底部で接続することで形成され、この谷底部が谷線１４ａを成している。これにより凸部１３と凹部１４とが交互に繰り返され、稜線１３ａと谷線１４ａとが交互に繰り返されている。
そして、この稜線１３ａ及び谷線１４ａがシート面内方向において所定の形状で延びることにより、所望の模様を有する形態となる。本形態では、図１のように稜線１３ａ及び谷線１４ａが延びることにより左官による鏝痕調の模様とされている。
【００２６】
ここで、第一傾斜面１５は、図２（ｂ）に示したようにシート面ＰＳｈｅｅｔ（図２（ｂ）に示したＰ２Ｓｈｅｅｔ）におけるシート面内方向、即ち、図２に於いてはｘｙ平面乃至これと平行な仮想平面に平行である方向に対してθ１の傾斜角を有している。一方、第二傾斜面１６は、図２（ｂ）に示したようにシート面ＰＳｈｅｅｔにおけるシート面内方向に平行である方向に対してθ２の傾斜角を有している。尚、同図においては、シート面内方向の断面をｘ方向に平行に延びる点線で表示している。
なお、以降、シート面と第一傾斜面１５とのなす角を、第一傾斜面１５の傾斜角θ１或いは略して傾斜角θ１と呼称する。又、シート面と第二傾斜面１６とのなす角を第二傾斜面１６の傾斜角θ２或いは略して傾斜角θ２と呼称する。更に、傾斜角θ１と傾斜角θ２とを総称して、傾斜角或いは傾斜角θ１、θ２とも略称する。
【００２７】
ここで、「シート面ＰＳｈｅｅｔ」とは化粧材を大局的に全体として視た時に、平面内において延在する（広がっている）方向を代表する面を言う。通常の化粧材の場合は、凹凸模様の表面の包絡面を最小二乗法等により平滑化した面が平面となる場合が多い。この場合には、かかる包絡面を平滑化して得られる平面及びこれと平行な任意の平面がシート面に相当する。なお、図２（ｂ）の如く、化粧材の凹凸模様とは反対側の面（所謂裏面）が平滑な平面となる場合は該化粧材の凹凸模様の反対面を平滑化した面及びこれと平行な任意の面をシート面とすることができる。
なお、これら包絡面を平滑化した面又は凹凸模様の反対面を平滑化した面が曲面に代表される非平面の場合は、斯かる一度平滑化した包絡面又は一度平滑化した反対面を、更に、最小二乗法等により平面化した面を以ってシート面と定義する。
【００２８】
本発明において、傾斜角を定義する測定基準となるシート面ＰＳｈｅｅｔは、第一傾斜面１５及び第二傾斜面１６の両面と交叉するシート面を選ぶ。その中でも、第一傾斜面１５と第二傾斜面１６との傾斜角の差異が視覚及び触感に及ぼす影響度は稜線１３ａ（頂部）近傍が一番大きい為、傾斜角度θ１及び傾斜角θ２を定義する測定基準となるシート面ＰＳｈｅｅｔは稜線１３ａに近い面を選ぶことが好ましい。この点を考慮して、以下の（１）〜（６）のように傾斜角定義の測定基準とすべきシート面ＰＳｈｅｅｔ選定するとともに傾斜角θ１、傾斜角θ２を得る。
【００２９】
（１）
先ず、当傾斜角度θ１及び傾斜角θ２の測定対象とすべき特定の凸部１３について、その第一傾斜面１５と第二傾斜面１６のうちで、シート面方向への延在距離Ｌ１５乃至Ｌ１６（これは、傾斜面のシート面ＰＳｈｅｅｔへの正射影についての傾斜方向（同図ではｘ方向）の長さに相当する）のうち、より短い距離Ｌｓｈｏｒｔ（＝ｍｉｎ（Ｌ１５、Ｌ１６））となる方の傾斜面を選ぶ。ここで、ｍｉｎ（ａ、ｂ）は、ａとｂの２つの数値のうちで、より小さい方の数値を選ぶ演算子である。図２（ｂ）の場合は、Ｌｓｈｏｒｔ＝ｍｉｎ（Ｌ１５、Ｌ１６）＝Ｌ１６となるため、第二傾斜面１６が選択される。
【００３０】
（２）
次いで、Ｌｓｈｏｒｔと４／３ｍｍ＝１．３３３３３・・・ｍｍとの大小関係を明らかにする。４／３ｍｍの実測上の有效桁数であるが、汎用測定機器での測定精度及び目視と触感に於ける差異検知の判別閾値を考慮して１．３ｍｍとすれば十分である。
【００３１】
（３）
そして明らかにした上記大小関係に基づいて図２（ｂ）にＰ２Ｓｈｅｅｔで表したように第一傾斜面１５及び第二傾斜面１６の両面と交差するシート面である特定シート面Ｐ２Ｓｈｅｅｔを選ぶ。具体的には次のようにしておこなう。
（３−１）Ｌｓｈｏｒｔ＞４／３ｍｍ（≒１．３）の場合；
稜線１３ａを起点として、そこからシート面内方向（同図ではｘ方向に）に、稜線からのシート面内方向距離＝１ｍｍの距離において第一傾斜面１５及び第二傾斜面１６の両面と交差するシート面を特定シート面とする。
（３−２）Ｌｓｈｏｒｔ≦４／３ｍｍ（≒１．３）の場合；
稜線１３ａを起点として、そこからシート面内方向（同図ではｘ方向に）に、(１／４)×Ｌｓｈｏｒｔ≦稜線からのシート面内方向距離≦(３／４)×Ｌｓｈｏｒｔの距離に於いて第一傾斜面１５及び第二傾斜面１６の両面と交差するシート面を特定シート面とする。
【００３２】
（４）
第一傾斜面１５、第二傾斜面１６、及び該特定シート面Ｐ２Ｓｈｅｅｔで構成される３角柱を稜線１３ａの主切断面（同図ではｚｘ平面乃至これと平行な面）における該３角柱と該直交平面とが交差して形成される３角形を求める。
【００３３】
（５）
そして、該３角形における該特定シート面Ｐ２Ｓｈｅｅｔに対応する底辺と第一傾斜面１５に相当する辺とで形成される内角を第一傾斜面１５の傾斜角θ１と定義する。同様に、該３角形における該特定シート面Ｐ２Ｓｈｅｅｔに対応する底辺と第二傾斜面１６に相当する辺とで形成される内角を第二傾斜面１６の傾斜角θ２と定義する。
【００３４】
（５−１）
第一傾斜面１５及び第二傾斜面１６が図２の如く平面（主切断面においては直線）であり、且つ稜線１３ａが直線（この形態は図示無し）の場合は、以上の通りである。
【００３５】
（５−２）
一方、現実の凹凸模様には、第一傾斜面１５及び第二傾斜面１６の少なくとも一方が、少なくとも一部領域において、非平面（図２の如き主切断面においては非直線）となる場合の方が寧ろ多い。そこでこのような非平面の場合には次のように考える。
その際、第一傾斜面１５又は第二傾斜面１６の何れかが表面に微細な凹凸を有して粗面となる場合は、該粗面を最小二乗法等の適宜手法で平滑化した面を求める。この場合には、第一傾斜面１５を平滑化した面を平滑化第一傾斜面１５Ｓと呼称し、第二傾斜面１６を平滑化した面を平滑化第一傾斜面１６Ｓと呼称する。この平滑化第一傾斜面１５Ｓ、平滑化第二傾斜面１６Ｓの面の性質により、さらに次のように考える。
【００３６】
（５−２−１）
平滑化第一傾斜面１５Ｓ又は平滑化第一傾斜面１６Ｓが平面となる場合は、かかる平滑化した傾斜面１５Ｓ又は傾斜面１６Ｓについて上記した傾斜面が平面の場合と同様の方法にて傾斜角θ１又はθ２を求める。
【００３７】
（５−２−２）
一方、平滑化第一傾斜面１５Ｓ又は平滑化第一傾斜面１６Ｓの何れかが曲面等の非平面となる場合は、以下の如くする。
（５−２−２ａ）
非平面となる平滑化第一傾斜面１５Ｓ又は平滑化第二傾斜面１６Ｓについて、図３のように、稜線１３ａ（に対応する点（頂点））と谷線１４ａ（に対応する点）とを接続し、主切断面と直交する平面を求める。図３の如き主切断面内においては、稜線１３ａに対応する点と谷線１４ａに対応する点とを結ぶ直線を引くことに相当する。これを平面化した平滑化第一傾斜面１５Ｐ、平面化した第二平滑化傾斜面１６Ｐと呼称する。
（５−２−２ｂ）
しかる後、非平面となる平滑化第一傾斜面１５Ｓ又は平滑化第二傾斜面１６Ｓを平面化した平滑化第一傾斜面１５Ｐ又は平面化した第二平滑化傾斜面１６Ｐと置換する。以降は、前記傾斜面が平面の場合と同様の方法にて傾斜角θ１又はθ２を求める。
【００３８】
（６）
次に凹凸模様中のシート面内方向における分布の有無を確認し、傾斜角を決める。その際には凹凸模様中の傾斜角の特徴によって次のように考える。
【００３９】
（６−１）
もし、凹凸模様中の第一傾斜面１５の傾斜角θ１及び第二傾斜面１６の傾斜角θ２がシート面内の全域において同一の値を有する場合は、凹凸模様中の任意の点における傾斜角θ１及び傾斜角θ２の値を以ってその凹凸模様を代表する傾斜角θ１及び傾斜角θ２とすれば良い。
【００４０】
（６−２）
一方、もし凹凸模様中の第一傾斜面１５の傾斜角θ１及び第二傾斜面１６の傾斜角θ２がシート面内の場所によって異なる場合には、以下の如くとする。
（６−２ａ）
先ず、凹凸模様中において任意の１条の稜線１３ａの任意の部分を選択する。該稜線の選択部分の中で、任意の異なる場所１０箇所について、前記方法により傾斜角θ１及び傾斜角θ２の値を求め、その１０点平均値を以って、当該稜線の当該選択部分の傾斜角θ１及び傾斜角θ２とする。
（６−２ｂ）
次いで、凹凸模様中において他の任意の１条の稜線の任意の部分を選択して同樣に１０点平均値として当該稜線の当該選択部分の傾斜角θ１及び傾斜角θ２を求める。
（６−２ｃ）
かかる測定を、傾斜角θ１及び傾斜角θ２の１０点平均値の分散が十分収束したと判断される程度に複数の稜線の複数の選択部が５個〜１０個程度揃えれば、該１０点平均値の値は収束したとみなし得る。
（６−２ｄ）
かかる後、得られた個数の傾斜角θ１及び傾斜角θ２の１０点平均値を、更に、傾斜角θ１、傾斜角θ２別に各々平均した値を以って、当該凹凸模様の傾斜角θ１及び傾斜角θ２の値とする。
【００４１】
以上の（１）〜（６）により傾斜角定義の測定基準とすべき特定シート面Ｐ２Ｓｈｅｅｔ選定するとともに傾斜角θ１、傾斜角θ２を得る。
【００４２】
本形態ではθ１＜θ２の関係を有して構成されている。これにより従来のように凹凸模様における高さの階調が限定的であるため単調となることが避けられ、より実際の左官によるセメントや石膏等の鏝痕に近い豊かな外観の化粧材を得ることができ、外観について違和感が少なくできる。また、触感の観点からも同様の観点からこれまでとは異なる化粧材となる。
【００４３】
具体的な傾斜角θ１及び傾斜角θ２の大きさは特に限定されることはないが、傾斜角θ１は０°より大きく１０°以下であることが好ましい。また、傾斜角θ２は１０°より大きく８０°以下であることが好ましい。
また、傾斜角θ１と傾斜角θ２との差は特に限定されることはないが、大きい方が視覚及び触感の観点からその効果が大きくなる。好ましくはその差は５°以上７０°以下である。
【００４４】
ここで、隣り合う凸部１３の間隔（図２（ｂ）における両傾斜面１５、１６のシート面Ｐｓｈｅｅｔに対する正射影の長さの和Ｌ１５＋Ｌ１６に相当）は、表現しようとする模様により異なるため特にその好ましい範囲はなく、表現に必要な大きさを適宜設定可能であり、規則的であっても不規則であっても良い。ただし、通常の鏝痕調及び石目調の凹凸模様の外観を再現する観点からは、凸部１３の間隔は５ｍｍ以上２００ｍｍ以下の範囲とすることが好ましい。
図２（ｂ）にＨ１で示した稜線１３ａと谷線１４ａとの厚さ方向（ｚ方向）の差、即ち厚さ方向の高低差（乃至は段差）も特に限定されることはなく傾斜角θ２や凸部１３の間隔により決まる。その中でも化粧材に形成された模様の十分な視認性、意匠外観、及び触感の再現性の点で、一般には高低差は大きい方が好ましい。但し、一方では、基材１１への凹凸模様の賦形の容易さの点で、一般に高低差は小さい方が好ましい。即ち、一般に、高低差が大きくなるに従って版の製造、及び、版の凹凸模様の基材への忠実な賦形が共に難しくなる。且つ、凹凸模様を賦形可能な基材の最低厚みも増大する。よって、意匠外観の再現性と賦形の容易性との両立の観点から、高低差Ｈ１は１μｍ以上１０００μｍ以下程度であることが好ましい。
【００４５】
第一形態では凹凸模様として左官による鏝痕による扇仕上調を例示した。但し、本発明においては、所謂、スタッコ調、鏝波仕上、扇仕上等の凹凸模様に代表される左官工事によりセメント、石膏、壁土等の仕上面表面に形成された鏝痕表面凹凸模様、花崗岩等の多結晶体石板表面の劈開面の凹凸模様、或いは石灰岩、大理石（結晶質石灰岩）、砂岩等の各種石板表面の石材破断面の表面凹凸模様を模擬することができる。
また、本発明において表現する凹凸模様は、必ずしも実物の凹凸模様と同じ凹凸形状乃至凹凸構造を有している必要は無い。要するに、本発明では表現対象とする凹凸模様と同様の意匠外観及び／又は触感を観察者が知覚できるように構成されていればよい。
【００４６】
さらに凹凸模様は次のように構成されていることが好ましい。図４（ａ）及び図４（ｂ）に説明のための図を示した。図４（ａ）は図１にＩＶａで示した範囲を拡大して表した平面図、図４（ｂ）は図２（ｂ）と同じ視点による断面図である。
Ａで示したように、凹凸模様における第一傾斜面１５のうち、稜線１３ａに近い部位で稜線１３ａに沿った方向の所定の長さの直線範囲における表面粗さＲａをＲａ１とする。
また、Ｂで示したように、凹凸模様においてＡに近い稜線１３ａ及びこれに隣接する谷線１４ａを挟んで当該谷線１４ａに近い部位の第一傾斜面１５で谷線１４ａに沿った方向の所定の長さの直線範囲における表面粗さＲａをＲａ２とする。
そして、このようなＲａ１及びＲａ２の関係がＲａ１＞Ｒａ２であることが好ましい。即ち、相対的に傾斜が緩慢な第一傾斜面１５については、谷側（谷線１４ａ近傍）よりも稜線側（稜線１３ａ近傍）の方を、相対的に粗面とすることが好ましい。これにより、光沢の観点から視覚的にこれまでとは異なるものになるとともに、触感的にもこれまでとは異なるものとなる。特に、左官工事の鏝痕表面凹凸模様、或いは多結晶体石板表面の劈開面の凹凸模様の外觀及び触感を表現する際に、効果的で豊かな表現ができる。
【００４７】
ここで、表面粗さＲａ１及びＲａ２の測定は次のように行われる。
第一傾斜面１５の傾斜角θ１及び第二傾斜面１６の傾斜角θ２の場合と同様、表面粗さの差異が視覚及び触感に及ぼす影響度は稜線１３ａ（頂部）近傍が一番大きい為、表面粗さＲａ１及びＲａ２の測定基準とする位置は稜線１３ａに近い面を選ぶことが好ましい。但し、傾斜角と表面粗さとでは、その視覚及び触感に与える影響も微妙に異なる。この点を考慮して、表面粗さＲａ１及びＲａ２の測定位置と測定条件の選定は以下のようにする。なお、ここで表面粗さＲａ（μｍ）は、ＪＩＳ  Ｂ  ０６０１−２００１における算術平均粗さを意味する。
【００４８】
傾斜角θ１、傾斜角θ２の測定の説明の所で前記した如く、表面粗さ測定部位において、第一傾斜面１５と第二傾斜面１６のうちで、シート面方向への延在距離Ｌ１５乃至Ｌ１６（図２（ｂ）に示した傾斜面のシート面ＰＳｈｅｅｔへの正射影の傾斜方向長さに相当）のうち、より短い距離Ｌｓｈｏｒｔを求める。
【００４９】
Ｌｓｈｏｒｔ＞４ｍｍの場合には、第一傾斜面１５の稜線１３ａに近い部位の表面粗さＲａ１については、第一傾斜面１５上において、稜線１３ａからの距離（ＬＡ）が２ｍｍ以内の領域における直線上を、測定長ＬＣを４ｍｍ、カットオフ値を０．８ｍｍにて測定した値とする。
一方、第一傾斜面１５の谷線１４ａに近い部位の表面粗さＲａ２については、第一傾斜面１５上において、谷線１４ａからの距離（ＬＢ）が２ｍｍ以内の領域における直線上を、測定長ＬＤを４ｍｍ、カットオフ値を０．８ｍｍにて測定した値とする。
【００５０】
Ｌｓｈｏｒｔ≦４ｍｍの場合には、第一傾斜面１５の稜線１３ａに近い部位の表面粗さＲａ１については、第一傾斜面１５上において、稜線１３ａからの距離（ＬＡ）が、ＬＡ≦（１／２）×Ｌｓｈｏｒｔ、より好ましくは、ＬＡ≦（１／４）×Ｌｓｈｏｒｔの領域における直線上を、測定長ＬＣを４ｍｍ、カットオフ値を０．８ｍｍにて測定した値とする。
一方、第一傾斜面１５の谷線１４ａに近い部位の表面粗さＲａ２については、第一傾斜面１５上において、谷線１４ａからの距離（ＬＢ）が、ＬＢ≦（１／２）×Ｌｓｈｏｒｔ、より好ましくは、ＬＢ≦（１／４）×Ｌｓｈｏｒｔの領域における直線上を、測定長ＬＤを４ｍｍ、カットオフ値を０．８ｍｍにて測定した値とする。
【００５１】
具体的なＲａ１及びＲａ２の大きさは特に限定されることはないが、Ｒａ１は０．０２μｍ以上２０μｍ以下であることが好ましい。また、Ｒａ２は０．００５μｍ以上５μｍ以下であることが好ましい。
また、Ｒａ１とＲａ２との差は特に限定されることはないが、大きい方が視覚及び触感の観点からその効果が大きくなる。好ましくはその差は０．０２μｍ以上、より好ましくは０．５μｍ以上、更に好ましくは５μｍ以上である。
【００５２】
図５には第二形態の化粧材２０を説明する図を示した。図５は図２（ａ）と同じ視点による図である。なお、ここでは第一形態である化粧材１０と同じ構成については同じ符号を付して説明を省略する。
化粧材２０では、化粧材１０の構成にさらに模様形成層１２、絵柄層２１、及び透明保護層２２が積層されている。
模様形成層１２は、基材１１の一方の面に積層され、化粧材に模様を付与するする層であり、本形態では所定の凹凸形状を有して凹凸模様を構成している。基材１１自体に凹凸模様の賦形性（凹凸模様の受容性）が有る場合には、前述のように、基材１１と別に模様形成層１２を設けること無く、基材１１上に直接凹凸模様を形成する形態を採用し得る。
【００５３】
絵柄層２１は、絵柄（デザイン）が施された層であり、本形態では第一傾斜面１５に積層されている。
絵柄層２１における具体的な絵柄は、木目調、スタッコ調や扇仕上等に代表される鏝痕調、花崗岩、大理石、砂岩等の岩石の板の劈開面乃至は破断面に代表される石目調等の各種の模様、色彩パターン、写真、絵画、図画乃至幾何学模様、各種布帛や不織布に代表される布地、本皮、人工皮革、シボ樹脂等、特に限定されることなくここに配置することができる。例えば模様形成層１２により所定の表現（本形態では鏝痕調）の模様が形成されていればこの模様に合わせた絵柄とすることができる。その際には、模様形成層１２の凹凸に合わせた絵柄であっても良いし、模様形成層１２の凹凸とは異なる絵柄であってもよい。
このような絵柄層２１のデザインは例えばグラビア印刷、シルクスクリーン印刷、インキジェット印刷等の印刷で形成したインキ層により形成することができる。
【００５４】
絵柄層２１を構成するインキとしては、公知のものの中から絵柄の色調及び要求される物性に応じて適宜選択すれば良い。インキのバインダ樹脂としては、例えば、アクリル樹脂、塩化ビニル−酢酸ビニル共重合体、セルロース系樹脂、ウレタン樹脂、ポリエステル樹脂等を１種単独で或いは２種以上混合して用いることができる。
着色剤（顔料、染料等）としては、例えば、チタン白、亜鉛華等の白色着色剤、カーボンブラック（墨）、鉄黒、アゾメチンアゾ系顔料等の黒色着色剤、黄鉛、チタン黄、ポリアゾ系イエロー、イソインドリノンイエロー、ニッケルアゾ錯体等の黄色着色剤、弁柄、カドミウム赤、ポリアゾ系レッド、キナクリドンレッド等の赤色着色剤、群青、コバルトブルー、フタロシアニンブルー等の青色着色剤、アルミニウム、真鍮等の鱗片状箔片からなる金属顔料、二酸化チタン被覆雲母、塩基性炭酸鉛等の鱗片状箔片からなる真珠光沢（パール）顔料等の着色剤を用いることができる。
その他、必要に応じて、可塑剤、界面活性剤、熱安定剤、紫外線吸收剤、光安定剤、滑剤等各種添加剤を適量添加することができる。
【００５５】
透明保護層２２は、絵柄層２１及び模様形成層１２を汚染や傷等から保護する層であり、透明樹脂、又は透明ガラスなどにより構成することができる。
透明樹脂を用いる場合には、例えば、熱可塑性樹脂、硬化樹脂による層を挙げることができる。
なお、基材１１、模様形成層１２、及び絵柄層２１のみでも目的の用途において十分な耐汚染性、耐擦傷性等の表面耐久性能が確保可能な場合には、透明保護層２２は省略することができる。
【００５６】
熱可塑性樹脂としては、例えば、ポリメチル（メタ）アクリレート、ポリエチル（メタ）アクリレート等のアクリル樹脂、ポリプロピレン、ポリエチレン等のポリオレフィン系樹脂、ポリ弗化ビニル、ポリ弗化ビニリデン等の弗素樹脂、ポリエチレンテレフタレート（ＰＥＴ）、ポリブチレンテレフタレート（ＰＢＴ）、ポリエチレンナフタレート（ＰＥＮ）等のポリエステル樹脂、ポリカーボネート樹脂、塩化ビニル系樹脂、アクリロニトリル−ブタジエン−スチレン樹脂（ＡＢＳ樹脂）、アクリロニトリル−スチレン−アクリル酸エステル樹脂等が挙げられる。なお、「（メタ）アクリル」は、アクリル又はメタクリルを意味する。
【００５７】
硬化樹脂による層は、硬化性樹脂組成物が硬化した層であり、硬化性樹脂組成物は、硬化性樹脂を含有する組成物である。硬化性樹脂組成物としては、例えば、熱硬化性樹脂を含有する熱硬化性樹脂組成物、電離放射線硬化性樹脂を含有する電離放射線硬化性樹脂組成物等が挙げられる。
熱硬化性樹脂としては、例えば、不飽和ポリエステル樹脂、ポリウレタン樹脂（２液硬化型ポリウレタンも含む。）、エポキシ樹脂、アミノアルキッド樹脂、フェノール樹脂、尿素樹脂、ジアリルフタレート樹脂、メラミン樹脂、グアナミン樹脂、メラミン−尿素共縮合樹脂、珪素樹脂、ポリシロキサン樹脂等が挙げられる。熱硬化性樹脂組成物は、必要に応じて、熱硬化性樹脂の硬化反応に関与する成分、例えば、触媒、硬化剤（架橋剤、重合開始剤、重合促進剤等を含む）等を含有してもよい。
電離放射線硬化性樹脂は、電離放射線の照射により架橋重合反応を生じ、３次元の高分子構造に変化する樹脂である。電離放射線は、電磁波及び荷電粒子線のうち、分子を重合又は架橋し得るエネルギー量子を有するものであり、紫外線（ＵＶ）及び電子線（ＥＢ）の他、Ｘ線、γ線等の電磁波、α線、イオン線等の荷電粒子線も包含するが、通常、紫外線（ＵＶ）又は電子線（ＥＢ）が使用される。電離放射線硬化性樹脂の中でも、電子線硬化性樹脂は、無溶剤化が可能であり、光重合用開始剤を必要とせず、安定な硬化特性が得られる。
電離放射線硬化性樹脂としては、例えば、電離放射線の照射により架橋可能な（メタ）アクリロイル基等の重合性不飽和結合、エポキシ基等を分子中に有するモノマー、オリゴマー、或いはプレポリマー等の１種以上を含有する組成物を使用することができる。
【００５８】
透明保護層２２の厚さは特に限定されることはないが、０．１μｍ以上２０μｍ以下が好ましい。薄いと曲げ等による耐久性は高いが耐擦傷性では弱く、厚いと耐擦傷、傷には強いが曲げ等の変形に弱く割れ等が発生するため、上記範囲の厚さとすることによりバランスのよい透明保護層２２とすることができる。より好ましくは１μｍ以上１０μｍ以下である。
【００５９】
以上のような化粧材２０でも、特に傾斜角がθ１＜θ２の関係を具備することで化粧材１０と同様の効果を有するものとなる。
【００６０】
図６には第三形態にかかる化粧材３０を説明する図を示した。図６は化粧材３０のうち、１つの稜線３３ａ及び谷線３４ａの一部周辺を切り取って表した斜視図である。
本形態の化粧材３０は石目調の模様を有する模様形成層３２を有している。この模様形成層３２も、模様形成層１２に倣って、その稜線３３ａ及び谷線３４ａが延びる方向において石目調が表現されている。
この模様形成層３２においても、模様形成層１２に倣って第一傾斜面３５及び第二傾斜面３６を有して稜線３３ａ及び谷線３４ａをなし、第一傾斜面３５の傾斜角が第二傾斜面３６の傾斜角よりも小さくなるように凹凸形状を有している。また、稜線３３ａ近傍における表面粗さと谷線３４ａ近傍における表面粗さの関係も模様形成層に倣って、稜線近傍における表面粗さの方が谷線近傍における表面粗さよりも大きくなるように形成されていることが好ましい。
これにより従来とは異なり、単調な表現が回避され、より実際の石目に近い違和感の少ない、豊かな外観の化粧材を得ることができる。また、触感の観点からもこれまでとは異なる化粧材となる。
【００６１】
化粧材３０では模様形成層３２が基材を兼用しており、模様形成層３２単層の一方の面上に着色インキの濃淡から成る着色漆喰を用いた壁面の意匠外観を表現する絵柄層３１を有し、透明保護層は省略した構成となっている。
そして本形態では絵柄層の模様として、鏝痕調の凹凸模様と適合する意匠外観的を有する、面内に濃淡の階調を持って色調が分布した着色インキ層から成る石目調のものを適用した。なお、本形態においても、模様形成層３２の凹凸模様と絵柄層の絵柄とが異なるものとすることもできる。
【００６２】
図７には第四形態にかかる化粧材４０を説明する図を示した。図７（ａ）は図１に相当する化粧材４０の平面図、図７（ｂ）は化粧材４０の一部を表した斜視図である。
図７（ａ）、図７（ｂ）からわかるように、本形態の化粧材４０は基材１１の一方の面に石目調の凹凸模様を有する例である。この凹凸模様により化粧材１０の凹凸模様の鏝痕調に倣って、その稜線４３ａ及び谷線４４ａが延びる方向において石目調が表現されている。
この化粧材４０の凹凸模様においても、化粧材１０の凹凸模様に倣って第一傾斜面４５及び第二傾斜面４６を有して稜線４３ａ及び谷線４４ａをなし、第一傾斜面４５の傾斜角が第二傾斜面４６の傾斜角よりも小さくなるように凹凸形状を有している。また、稜線４３ａ近傍における表面粗さと谷線４４ａ近傍における表面粗さの関係も化粧材１０の凹凸模様に倣って、稜線近傍における表面粗さの方が谷線近傍における表面粗さよりも大きくなるように形成されていることが好ましい。
本形態でも基材１１の一方の面に凹凸模様が形成されており、この凹凸模様の一方の面上に着色インキの濃淡から成る着色漆喰を用いた壁面の意匠外觀を表現する不図示の絵柄層を有し、透明保護層は省略した構成となっている。
これにより従来とは異なり、従来のような単調な表現が回避され、より実際の石目に近い豊かな外観の化粧材を得ることができる。また、触感の観点からもこれまでとは異なる化粧材となる。
【００６３】
次に化粧材１０の製造方法の例を説明する。ただし、化粧材１０を製造する方法がこれに限定されることはない。
以下に説明する製造方法には、版下画像を作製する工程、版を作製する工程、凹凸模様を形成する工程を含んでいる。
【００６４】
版下画像を作製する工程では、基材１１表面に表現すべき平面視における模様を画像濃度（濃淡）として取得してこれを版下画像とする。版下画像はデジタルデータであることが好ましいため、デジタルデータでない場合には石材、鏝痕調等の左官仕上した表面等の原稿自体或いは原稿の写真をスキャナで読み込みＡＤ変換する手法を用いることにより、２次元座標平面（ｘ、ｙ）内に画素が配列してなり、各画素には各々固有の濃度値が対応して成るデジタルデータを得る。また、初めから模様をＣＡＤ等を用いてデジタルデータを利用して設計していた場合にはそのデジタルデータを用いることができる。
これで、デジタルデータとして版下画像が得られる。
【００６５】
この版下画像を作製する工程では、得られた模様の濃度の連続階調画像を基に該連続階調濃度画像中に線状の二値画像パターンを生成して該連続階調濃度画像中の一部の画素が稜線又は谷線を構成する画素となるように配置し、デジタルデータとして版下画像中における稜線及び谷線を得る。
【００６６】
具体的には、例えば以下のような方法を用いる。但し、本発明は下記の方法により得られた化粧材のみに限定される訳では無い。
即ち、面内の各方向に向かって位置座標の増加に伴い画像濃度が増減の変化率を計算する。そして、画像濃度が座標の増加とともに増加から減少に転じる極大点の画素を稜線１３ａの画素とする。又、画像濃度が座標の増加とともに減少から増加に転じる極小点の画素を谷線１４ａの画素とする。
かかる処理を連続階調濃度画像の各画素について実施する事により、連続階調濃度画像中に稜線１３ａ及び谷線１４ａに対応する線を有する画像データを得る。
【００６７】
画像データにおいては、２次元座標平面内で稜線１３ａに相当する線と直交する方向で該稜線１３ａに対応する点に向って漸次接近するに従い濃度値は増加し、該稜線１３ａに対応する点で濃度値が極大となり、該稜線１３ａに対応する点から漸次離脱するに従い濃度値は減少する特徴を有した画像データとなっている。
又、該画像データにおいて、２次元座標平面内で谷線１４ａに相当する線と直交する方向で該谷線１４ａに対応する点に向って漸次接近するに従い濃度値は減少し、該谷線１４ａに対応する点で濃度値が極小となり、該谷線１４ａに対応する点から漸次離脱するに従い濃度値は増加する特徴を有した画像データとなっている。
【００６８】
次いで、製造する化粧材に求める凹凸模様において、第一傾斜面１５の傾斜角θ１と第二傾斜面１６とのなす角を第二傾斜面１６の傾斜角θ２について、「θ１＜θ２の関係を満たす面積の化粧材全面積に対する面積率σ」の設計値を所望の値に設定する。
【００６９】
次いで、以上の如く処理した連続階調濃度画像において、稜線１３ａの前後における濃度勾配の差を計算し、稜線１３ａを挟んだ両側の領域における平均濃度勾配の差異を確認する。
具体的には、稜線１３ａと直交する方向で該稜線１３ａに向って所定の距離漸次前進しながら各位置座標における濃度値を求め、該前進した経路と距離に沿った平均濃度勾配を計算する。かかる所定の距離としては、谷線１４ａと稜線１３ａとが隣接する場合は、該隣接する谷線１４ａから稜線１３ａまでの距離とされる。又、かかる前進経路に沿って稜線１３ａから隣接する谷線１４ａに向い前進しながら各位置座標における濃度値を求め、該前進した経路と距離に沿った平均濃度勾配を計算する。
【００７０】
次いで、該前進経路に沿った特定稜線１３ａ上の特定画素の両側の平均濃度勾配を比較する。かかる処理を各稜線１３ａ上の各画素について行う。
【００７１】
次いで、該連続階調濃度画像において、全稜線１３ａ上の画素のうちについて、稜線１３ａの両側の平均濃度勾配が異なる条件を満たす稜線１３ａの部分の長さを連続階調濃度画像の全領域に亘って積分した積分値Ｓを求める。
次いで、該積分値Ｓと設計値として設定した面積率σとを比較する。そして、両者の誤差が予め設定した許容範囲ｅ以内に収束しているか否か、即ち、
|(Ｓ−σ)／σ|≦ｅ
を満たす否かを確認する。
これがもし収束していれば、版下画像作成を終了する。一方もし収束していない場合は、収束するように該連続階調濃度画像における各画素の濃度を修整する。
【００７２】
このようにして生成された稜線は、その線分部分が、化粧材における稜線に該当し、該稜線を基準として、版下画像作成者が選択した、一方の側の隣接する谷線までの領域を第一傾斜面に割り当て、他方の側の隣接する谷線までの領域を第二傾斜面に割り当てる。
【００７３】
版を作製する工程では、版下画像に基づいて平面視形状の模様における濃淡画像（濃度値の濃淡）を版深に変換して成る凹凸模樣（高さの高低）の逆凹凸の凹凸模様を表面に有するエンボス版（化粧材用成形型）の作製を行う。
そして具体的には凹凸模様の製造工程は以下の手順（Ａ）〜（Ｅ）からなる。
【００７４】
〔（Ａ）濃淡階調版下画像作成工程〕
以上で得られた図１の凹凸模様に対応する濃淡画像データを得る。この濃淡画像データを凹凸模様画像データともいう。
【００７５】
〔（Ｂ）金属ロール準備工程〕
上記工程（Ａ）と並行して、図８に示したようなエンボス版彫刻用の金属ロール７０を準備する。金属ロール７０は、軸方向両端部に回転駆動軸（ｓｈａｆｔ）７１を有する中空の鉄製の円筒の表面に銅層をメッキ形成したものである。砥石で金属ロール７０の表面を研磨して粗面化し、彫刻用レーザ光の鏡面反射による彫刻効率の低下を防止する処理をする。
【００７６】
〔（Ｃ）レーザ光彫刻工程〕
図８に模式的に示したように、レーザ光直接彫刻機を用い、工程（Ｂ）で用意した金属ロール７０の表面を工程（Ａ）で作成した凹凸模様画像データに基づき彫刻する。これによりその表面に図１のような化粧材表面の凹凸模様と同一平面視形状で且つ逆凹凸（化粧材の凸に対応する部分がエンボス版面上では凹となる関係）の凹凸形状を形成する。
従ってエンボス版における凹凸模様が備えるべき形状は、上記した化粧材における凹凸模様の凹凸関係が反転した態様であり、同様に考えることができる。
【００７７】
金属ロール７０をその回転駆動軸７１を介して電動機で駆動し、回転駆動軸７１を中心軸として回転する。レーザーヘッド７２から出射される発振波長１０２４ｎｍ、レーザスポット径１０μｍ、出力６００Ｗのファイバーレーザ光Ｌで金属ロール７０の表面の全面を走査する。その際には工程（Ａ）で作成した凹凸模様画像データの濃度値に応じてレーザ光をＯＮ−ＯＦＦ切換（照射又は非照射の切換）を行い、照射位置には１回のレーザ光照射による金属の蒸発で深さ１０μｍの凹部を形成する。かかるレーザ光による金属ロール表面に対する走査を１０回繰り返す。また、蒸発した金属が粉体となって金属ロール７０の表面に残留又は付着することを防止するため、彫刻液吐出口７３から彫刻液Ｔを金属ロール７０の表面のレーザ光照射領域に吹き付けた状態でレーザ光照射を行う。
その際に、例えば、凹凸模様画像データ上で版深５０μｍに対応する画像濃度の位置座標においては、合計１０回の走査のうち、最初の５回分のみレーザ光を照射（ＯＮ）し、残り５回分についてはレーザ光は非照射（ＯＦＦ）となるよう制御する。
【００７８】
尚、金属ロール７０上の各位置座標に対応する凹凸模様画像データ上の画像濃度を彫刻すべき版深に変換するに当たっては、先ず、エンボス上の所望の（設計目標としての）版深の分布幅（最大版深−差意匠版深であり、これはエンボス加工後に得られる化粧材表面の最大の高低差に対応する）を決定する。かかる後、凹凸模様画像データ上の画像濃度の分布幅を版深の分布幅に対応するよう、レーザ光直接彫刻機の彫刻制御プログラムを設定する。
具体的には、凹凸模様画像データ上の画像濃度に対して、画像濃度が大きな部分を版深の大きな部分に対応させる場合は、最大濃度が最大版深（最大彫刻量）に、又、最小濃度が最小版深（最小彫刻量）に対応するようプログラムする。
かかるレーザ光の走査を完了させ、金属ロール７０の表面に所望の凹凸形状を形成する。
【００７９】
〔（Ｄ）電界研磨工程〕
彫刻液を洗浄した後、電解研磨を行い、金属ロール７０の表面に付着した金属の残渣を除去する。
【００８０】
〔（Ｅ）クロムメッキ工程〕
工程（Ｄ）の後、該金属ロール表面にメッキにより厚さ１０μｍのクロム層を形成する。
【００８１】
以上により基材１１の表面に形成された凹凸模様の凹凸が反転した凹凸形状を表面に備える版（化粧材用成形型、本形態ではエンボス版）を得ることができる。図９にはこのようにして得られたエンボス版の一部の平面図を表した。このエンボス版は上記した化粧材４０を成形するためのエンボス版である。
【００８２】
次に、凹凸模様を形成する工程で、作製された版（エンボス版）を用いて、基材１１にエンボス加工を行えば化粧材１０が得られる。エンボス加工は、適宜な公知の方法によれば良く、特に制限はない。エンボス加工の代表的な方法は例えば次のようなものである。
基材としてポリオレフィン系樹脂等の熱可塑性樹脂からなる樹脂シートを用いる。この基材を加熱軟化させ、その表面にエンボス版を押圧して該樹脂シート表面にエンボス版表面の凹凸模様を賦形する。そして樹脂シートを冷却して固化させて樹脂シート上の凹凸模様を固定する。その後に凹凸模様が賦形された樹脂シートをエンボス版から離型する。
ここで、各種エンボス加工法について、さらに説明すると例えば次の（ａ）〜（ｅ）のような方法がある。
【００８３】
（ａ）基材となる樹脂シートを加熱軟化させ、エンボス版を押圧して、エンボス加工する。
（ｂ）エンボス版を押圧する時の熱圧で表面シートとなる樹脂シート（基材）とベースシートとする樹脂シート（第２の基材）とを熱融着することにより、エンボス加工とラミネートとを同時に行うダブリングエンボス法によりエンボス加工する。
（ｃ）表面シートとする樹脂シート（基材）を、Ｔダイから溶融押出しをし、冷却ローラを兼ねるシリンダ状のエンボス版上に接触させて表面シートの成膜と同時にエンボス加工する。このとき、さらに表面シートの裏面側に挿入したベースシートとする樹脂シート（第２の基材）を熱融着させてダブリングエンボスを成膜と同時に行う。
（ｄ）特開昭５７−８７３１８号公報、特開平７−３２４７６号公報等に開示の如く、シリンダ状のエンボス版の表面に電離放射線硬化性樹脂の未硬化液状物を塗工する。さらにその上に、樹脂シート等からなるベースシートを重ねた状態で電離放射線を照射して未硬化液状物を硬化させて硬化物とする。その際、該硬化物をベースシートと接着させた後、エンボス版から離型して、ベースシートと該ベースシート上の硬化物とからなる基材とすることで、基材にエンボス加工する。
（ｅ）チタン紙等の紙にメラミン樹脂等の熱硬化性樹脂の未硬化物を含浸した含浸紙を、コア紙、木材合板上等の裏打材上に載置して、これら載置した複数層を熱プレス成形することによって各層を積層一体化して熱硬化性樹脂化粧材を作製する。そのとき、含浸紙表面側にエンボス版を挿入することによって、熱硬化性樹脂を含浸硬化させて化粧材とする際にその表面に熱プレスと同時にエンボス加工する。
【００８４】
なお、（ａ）〜（ｃ）のエンボス加工法で用いる基材の材料としては代表的には熱可塑性樹脂が使用され、（ｄ）のエンボス加工法で用いる基材の材料としては代表的には電離放射線硬化性樹脂が使用され、（ｅ）のエンボス加工法で用いる基材の材料としては代表的には熱硬化性樹脂が使用される。
【００８５】
以上のようにして化粧材１０を得ることができる。
【００８６】
次に、化粧材１０の変形例を説明する。図１０（ａ）、図１０（ｂ）に層構成を示した。
【００８７】
図１０（ａ）の構成の化粧材１０’は、基材１１の裏側に装飾層１１ａを形成した構成である。この様な構成の化粧材１０’を作製するには、例えば、基材１１としては装飾層１１ａが透視できる様に透明な樹脂シートを使用し、この基材１１の裏側とする面に装飾層１１ａを印刷形成した後、加熱軟化させてエンボス版を表側とする面に押圧するエンボス加工を行えば良い。
【００８８】
図１０（ｂ）の構成の化粧材１０’’は、図１０（ａ）の構成に対して、さらに装飾層１１ａの面のうち凹凸模様が配置される側とは反対側にもベースシートとする他の基材１１ｂを積層した例である。この様な構成の化粧材１０’’を作製するには、ベースシートとする着色した不透明な熱可塑性樹脂シートからなる基材１１ｂの表側とする面に、装飾層１１ａを印刷形成した後、このベースシートと、表面シートとする透明な熱可塑性樹脂シートからなる基材１１とを、ダブリングエンボス法で熱融着によって積層すると同時に基材１１の表面に所望の凹凸模様をエンボス加工すれば良い。
【００８９】
以上説明した化粧材の用途は特に制限は無いが、例えば、壁、床、天井等の建築物の内装材、建築物の外壁、屋根、門扉、塀、柵等の外裝材、扉、窓枠、扉、扉枠等の建具、廻り縁、幅木、手摺等の造作部材の表面材、テレビ受像機、冷蔵庫等の家電製品や複写機等の事務機器の筐体の表面材、箪笥等の家具の表面材、箱、樹脂瓶等の容器の表面材、車両等の内装材又は外裝材、船舶の内装材又は外裝材等である。
【実施例】
【００９０】
実施例では、化粧材１０の例に倣って作製した化粧材について、第一傾斜面の傾斜角θ１及び第二傾斜面の傾斜角θ２を測定した。さらに、稜線部分の表面粗さＲａ１及び谷線部分の表面粗さＲａ２を測定した。図１１には、実施例における化粧材の平面図のうち一部を拡大した図を表した。このうちＰ及びＱで囲んだ部位を測定対象とした。
【００９１】
＜化粧材の形状＞
実施例で製造した化粧材は、厚さ３００μｍで、二酸化チタン粒子からなる白色顔料を添加してなる可塑剤部数２０質量部の白色ポリ塩化ビニルのシートから成る単層の基材を用いたものである。
これは、その一方の側の表面上に、前記の製法により、図１１に平面視形状を図示し、表１に示す凹凸形状の特徴を有する凹凸模様を形成してなる。
【００９２】
＜θ１、θ２の測定＞
θ１及びθ２は、三次元測定器（株式会社キーエンス、ＶＲ−３０００）にて三次元形状を入力し、上記説明した方法に沿って測定した。
【００９３】
＜Ｒａ１、Ｒａ２の測定＞
Ｒａ１及びＲａ２は、三次元測定器（株式会社キーエンス、ＶＲ−３０００）にて三次元形状を入力し上記のように測定した。
【００９４】
＜結果＞
以上の結果表１のような結果を得ることができた。
【００９５】
【表１】
2019171621.tif 000003
【００９６】
このような態様の化粧材を得ることができた。そして、これにより目視及び触感の観点からこれまでとは異なる質感の化粧材となった。
【符号の説明】
【００９７】
１０  化粧材
１１  基材
１２  模様形成層
１３  凸部
１３ａ  稜線
１４  凹部
１４ａ  谷線
【図１】
2019171621.tif 000004
【図２】
2019171621.tif 000005
【図３】
2019171621.tif 000006
【図４】
2019171621.tif 000007
【図５】
2019171621.tif 000008
【図６】
2019171621.tif 000009
【図７】
2019171621.tif 000010
【図８】
2019171621.tif 000011
【図９】
2019171621.tif 000012
【図１０】
2019171621.tif 000013
【図１１】
2019171621.tif 000014